(57)【要約】【課題】  曲がり樋継手の支持金具が軒先で多少傾いて取り付けられても、妻側軒樋と桁側軒樋とが多少取付け高さが異なっていても、また、軒先の鼻隠しに多少出入りがあっても、曲がり樋継手と軒樋との接続部からの水漏れの恐れが少なく、かつ接続箇所の屈折が少なくて外観が良い曲がり樋継手を提供する。【解決手段】  平面視略Ｌ字形状の継手本体の両端部が軒樋と接着接続される軒樋接続部とされた曲がり樋継手において、前記継手本体の底壁の少なくとも一部が、所定の隙間を有する二枚の底板で構成されて二重底構造とされ、該隙間に、軒先の隅部に固定されて前記曲がり樋継手を略水平に支持する支持具の水平受け板が摺動自在に挿入可能とされている。【選択図】  図１
2005042405.tif 000002
【特許請求の範囲】
【請求項１】
平面視略Ｌ字形状の継手本体の両端部に、軒樋と接着接続される軒樋接続部を有する曲がり樋継手において、
前記継手本体の底壁の少なくとも一部が、
所定の隙間を有する二枚の底板で構成されて二重底構造とされ、
該隙間に、
軒先の隅部に固定されて前記曲がり樋継手を略水平に支持する支持具の水平受け板が摺動自在に挿入可能とされている
ことを特徴とする曲がり樋継手。
【発明の詳細な説明】
【技術分野】
【０００１】
本発明は、建物の軒先の隅部（出隅部または入隅部）において、妻側軒樋と桁側軒樋とを接続する際に用いられる曲がり樋継手に関する。
【背景技術】
【０００２】
戸建て住宅において、曲がり樋継手として、「両端部に軒樋を摺動自在に接続し得るようになした継手本体の側壁外面に嵌合孔若しくは下方に向かう嵌合突起を有する載置板を外方に向けて水平状に突設してなる継手主体Ａと、水平片に上記嵌合孔若しくは嵌合突起に嵌合する上方に向かう嵌合突部若しくは嵌合穴を設けるとともに垂直片に釘着孔を設けてなる断面Ｌ字状の取付金具Ｂとからなり、水平片に載置板を載置して嵌合突部若しくは嵌合穴に嵌合孔若しくは嵌合突起を嵌合させ、上記水平片上には強風等による継手主体Ａの浮き上がりを防止するために載置板を押圧する押さえバネ板を設けたことにより軒先に固定される取付金具Ｂに継手主体Ａを装着し得るようになした軒樋継手。」が知られている（例えば、特許文献１参照。）。
【０００３】
しかしながら、文献１の軒樋継手においては、継手主体Ａに固定された載置板と取付金具Ｂの水平片とが嵌合突起によって連結され、かつ押さえバネによって風等で嵌合が外れないように強固に押圧されているため、例えば、取付金具Ｂを軒先に固定する際に、万一水平片が斜めになってしまった場合には、継手は斜めに配置されることになり、妻側又は桁側の軒樋が継手に対して斜めに接続されることになってしまう。この場合、接続部が摺動自在とされていても、接続箇所からの水漏れが発生する恐れがあるという問題点がある。
【０００４】
更に、家屋躯体の妻側軒樋と桁側軒樋の取り付け高さが異なっている場合には、軒樋継手と軒樋との接続部の軸が合わないために水漏れの原因となったり、取付け高さが大きく違っていると接続不能となる恐れがあるという問題点がある。加えて、軒先の鼻隠しに出入りがあれば、その分だけ上記取付金具Ｂの接続軸と、妻側軒樋又は桁側軒樋の軸との間にズレが生じるので、該軒継手が斜めになって接続されるので、水漏れの原因となるばかりでなく、外観上も見苦しいものとなってしまうという問題点がある。
【特許文献１】実用新案登録第２５８８７５３号公報
【発明の開示】
【発明が解決しようとする課題】
【０００５】
従来の軒樋継手が有する上記の問題点は、いずれも軒樋継手とその取付け金具との接続に遊びがないために、軒樋継手の接続軸と軒樋の軸とが不一致になる場合に発生するものである。この点に鑑み、本発明は、上記従来の曲がり樋継手が有する問題点を解消し、曲がり樋継手の支持金具が軒先で多少傾いて取り付けられても、妻側軒樋と桁側軒樋とが多少取付け高さが異なっていても、また、軒先の鼻隠しに多少出入りがあっても、曲がり樋継手と軒樋との接続部からの水漏れの恐れが少なく、かつ接続箇所の屈折が少なくて外観が良い曲がり樋継手を提供する目的でなされたものである。
【課題を解決するための手段】
【０００６】
請求項１記載の本発明は、平面視略Ｌ字形状の継手本体の両端部が軒樋と接着接続される軒樋接続部とされた曲がり樋継手において、前記継手本体の底壁の少なくとも一部が、所定の隙間を有する二枚の底板で構成されて二重底構造とされ、該隙間に、軒先の隅部に固定されて前記曲がり樋継手を略水平に支持する支持具の水平受け板が摺動自在に挿入可能とされているものである。
【０００７】
本発明の曲がり樋継手が適用される軒樋は、合成樹脂製、金属製のいずれでもよい。その形状は、底部が平板状とされた例えば角形軒樋等であり、合成樹脂製樋に好適に適用される。
【０００８】
本発明の曲がり樋継手は、平面視略Ｌ字形状の継手本体の両端部に、軒樋と接着接続される軒樋接続部を有している。そして、継手本体の底壁の少なくとも一部が、所定の隙間を有する二枚の底板で構成されて二重底構造とされ、この二重底構造の隙間は軒先の隅部側に向って開口している。すなわち、この隙間に、軒先の隅部に固定されて曲がり樋継手を略水平に支持する支持具の水平受け板が摺動自在に挿入可能とされている。二重底構造とされる箇所は、軒樋接続部を除いた継手本体の底壁全体でも、あるいは底壁の一部であっても良い。本発明の曲がり樋継手は、出隅用タイプと、入隅用タイプとがある。
【０００９】
通常、支持具の水平受け板は、継手本体の底面幅の半分以上の長さまで挿入されると、継手本体の支持が安定する。従って、二重底とされる範囲は、水平受け板を隙間内に確実に挿入でき、しかも、継手本体の両端部の軒樋接続部に接着接続される軒樋の伸縮に対応して、継手本体が水平受け板上を抵抗なく摺動できる長さ又は面積以上となるようにするのがよい。
【００１０】
即ち、本発明の曲がり樋継手は、使用状態においては、軒先の隅部に固定されている支持具の水平受け板の上に載っているだけで固定されていない。従って、水平受け板の上で、開口部の側壁が水平受け板に当接しない範囲で、曲がり樋継手は水平方向に自由に変位することができる。また、隙間の高さ即ち底板同士の距離を、水平受け板の厚さより若干大きくすることで、斜め方向にも、多少傾斜して動かすことが可能である。即ち、軒樋が熱伸縮等で移動しても、また妻側軒樋と桁側軒樋の高さが若干ずれていても、取付け施工時、継手本体を動かすことで、水漏れがなくしかも見かけの良い位置に配置することが可能となる。
【００１１】
支持具の材質は、高強度、高耐候性、防食性に優れたものであれば、合成樹脂製でも金属製でもよい。支持具の形状は、水平受け板の一端に固定部が形成され、この固定部が軒先の隅部に釘などにて固定されるようになっている。固定部には複数の釘孔が設けられている。なお、固定部の形状は、軒先の隅部の形態（出隅部、入隅部）に応じて決めればよい。
【発明の効果】
【００１２】
本発明の曲がり樋継手は、取付け施工の際に、軒先の隅部に固定されている支持具の水平受け板の上で、開口部の側壁が水平受け板に当たらない範囲で、水平方向に自由に動かすことができる。このため、軒先の鼻隠しに多少出入りがあっても、軒先の隅部に曲がり樋継手を略水平に取り付けることができる。また、支持具の水平受け板が、継手本体の底壁に形成されている隙間に挿入されて隠れているので、施行後、人が下方から見上げても外部から見えず、外観上の見栄えも良好である。
【００１３】
加えて、本発明の曲がり樋継手は、取付け施工後は、軒先の隅部に固定された支持具の水平受け板の上に載っているだけで固定されていないので、隙間の開口部の側壁が水平受け板に接触しない範囲で、曲がり樋継手は水平受け板の上で水平方向に自由に変位することができる。したがって、軒樋の熱伸縮を吸収することができるという効果もある。
【発明を実施するための最良の形態】
【００１４】
次に図面を参照して本発明の曲がり樋継手を説明する。
図１は本発明の出隅用曲がり樋継手の一例を示す平面図（ａ）とその正面図（ｂ）である。図２は図1の曲がり樋継手を支持するための支持金具の一例を示す平面図（ａ）とその正面図（ｂ）、図３は図1の曲がり樋継手の使用状態の一例を示す平面図である。
【００１５】
なお、本例においては、代表として塩化ビニル樹脂製出隅用曲がり樋継手１について説明する。曲がり軒継手は１、一般的な射出成形法によって得られる。従って、図示して説明する例では、全ての部材は一体成型物である。しかしながら、例えば、二重底部分を別の素材の板３２で製作しこれを本体２の底面３１に取付けて二重底としても良く、この場合は、二重底３１、３２のそれぞれの材質に応じてＦＲＰハンドレイアップ法、接着法、溶接法など適宜材料に合わせて接続し、事実上一体と見なし得るように強固に固定されても良い。
【００１６】
本発明の曲がり軒樋継手１は、継手本体２の両端部が妻側軒樋１３または桁側軒樋１４と接着接続される軒樋接続部５とされている。本体２の底面３は、その一部が、二枚の底板３１及び３２で二重底となるように構成されている。
【００１７】
継手本体２の二重底とされた底面３は、継手本体２の底面３を兼用する底板３１と更にその下側が隙間となるように設けられる底板３２とで構成される。この二重底の箇所は、継手底面３の全部であっても、又はその一部であっても良い。しかしながら、継手本体２の対角線に対して対称形になる位置に設けられていると、本曲がり樋継手１を使用するに際し、例えば水平受け板９が取り付けられる軒先１２等に凹凸等があっても、継手１が自由に水平受け板９の上を摺動して動かせるので、好都合である。
【００１８】
又、二重底部の平面形状は、図示した例では、その一例として四角形形状のものを示してあるが、例えば、開口部４の対向側の箇所４１が扇形形状（図示せず）とされていても良い。
【００１９】
二重底の隙間の高さは、その隙間に挿入された水平受け板９が摺動可能とされるために、水平受け板９の厚さ寸法より大とされる。この寸法は、あまり小さいと水平受け板９が傾いて取り付けられた場合に、それに摺動可能に載っている継手底板３が傾いてしまい、軒樋１３、１４が正しく接続されなくなる恐れがあるだけでなく、施行後に継手１が曲がって接続されているように見えてしまい、見栄えが悪くなる。しかしながら大きすぎても、ガタ付きが大きくなるので、軒樋１３，１４の伸縮や風雨等による振動等で、容易に継手１が動き、損傷の原因となり易くなる恐れがあるので、その寸法はその用いられる水平受け板９の厚さ等状況に合わせて適宜選択して決められれば良い。
【００２０】
支持具は、水平受け板９が略水平となるように、固定部１０を、釘穴１１に釘等を打ち込んで出隅軒先に固定する。この時、略水平を確認する方法は目視でも良いが、確実に水が下流側に流れる様にするために、水準器等を用いて確認することが好ましい。
【００２１】
水平受け板９が挿入される二重底の開口部４は、軒樋継手１が施工される際、軒先１２に向いている側に設けられる。開口部４の幅は、水平受け板９が開口部４に対して幅方向に振れて挿入される可能性及び軒樋１３、１４の伸縮や振動等を考慮して、広くされていることが良いが、広すぎて振動等で軒樋１３，１４が水平受け板９から外れたり、傾いてしまって戻らなくなる可能性があるので、通常は、二重底箇所の全周囲の半分以下とされることが好ましい。
【００２２】
軒樋との接続は、通常の一般的な接着接続とされれば良く、従って、接続方法を含め、特に図示も説明もしない。
【００２３】
本発明の二重底の位置は、継手１の本体底面３及び軒樋接続部５の底面６を含めた全底面に設けられていても良い。施工後に下方から見て二重底部の段差ができないので、見栄えが良くなる。
【００２４】
図３に、図１の本発明の曲がり樋継手１の使用状態を説明する。図３は曲がり樋継手１を軒先の出隅部に取り付けた状態を示す平面図である。
【００２５】
水平受け板９は、その一端に、水平受け板に直角方向に固定部１０が設けられている。固定部１０には釘孔１１が設けられ、釘、ねじ釘等で軒先１２に固定される。なお、固定部１０は、水平受け板９の一方の側にのみ屈曲され、水平受け板９よりも上方に固定部１０が配置されるように軒先１２に固定されると、施工後、固定部が見え難くなる。
【００２６】
曲がり樋継手１は、水平受け板９が水平になるように固定部１０で軒先１２に固定された後、二重底の隙間に水平受け板９を挿入し、その後、軒樋１３、１４を通常の方法で接着接続して施工する。二重底の隙間は、高さ、幅共に水平受け板９の厚さと幅より若干大きくされて遊びができており、かつその開口部４は水平受け板９の厚さ及び幅よりも充分に大きくされている。従って、左右の軒樋１３、１４同士に多少の高さの違いがあっても、又、軒先１２に出入りがあって水平受け板９が多少傾斜していても、継手１と軒樋１３、１４とは確実に接着接続されていて屈曲箇所がないので、水漏れ等の恐れがなくかつ見栄えが良くなる。
【図面の簡単な説明】
【００２７】
【図１】本発明の出隅用曲がり樋継手の一例を示す平面図（ａ）とその正面図（ｂ）である。
【図２】図1の曲がり樋継手を支持するための支持金具の一例を示す平面図（ａ）とその正面図（ｂ）である。
【図３】図1の曲がり樋継手の使用状態の一例を示す平面図である。
【符号の説明】
【００２８】
１  曲がり軒樋継手
２  継手本体
３  本体底面
３１、３２  底面底板
４  開口部
５  軒樋接続部
６  接続部底面
６１、６２  接続部底面底板
７  開口部
８  たて樋接続部
９  水平受け板
１０  固定部
１１  釘孔
１２  軒先（鼻隠し）
１３  妻側軒樋
１４  桁側軒樋
１５  たて樋
【図１】
2005042405.tif 000003
【図２】
2005042405.tif 000004
【図３】
2005042405.tif 000005